(57)【特許請求の範囲】
【請求項１】
ガスコンロの天板上にコンロバーナを囲うようにして設置される五徳に載置して使用する炊飯器であって、炊飯釜を上方から挿入した状態で支持する外胴体を備え、外胴体の下端に、径方向内方に屈曲する内曲げフランジ部が設けられ、外胴体を内曲げフランジ部において五徳に載置自在とするものにおいて、
内曲げフランジ部に、上方に凹入する所定数の凹条が形成され、五徳に設けられた複数の五徳爪がこれら凹条に下方から挿入されることで外胴体が五徳と同心状態になるようにし、
各凹条は、外胴体の下端外周面に達するように形成され、
凹条の数は、五徳爪の数に等しく、各凹条の周方向幅は、各凹条に各１個の五徳爪が挿入自在となるように設定され、各五徳爪が各凹条に挿入された状態で、内曲げフランジ部の凹条以外の部分の内周縁がコンロバーナの炎孔下端の延長線より下方に位置するように、各凹条の上方への凹入深さが設定されることを特徴とする炊飯器。
【請求項２】
ガスコンロの天板上にコンロバーナを囲うようにして設置される五徳に載置して使用する炊飯器であって、炊飯釜を上方から挿入した状態で支持する外胴体を備え、外胴体の下端に、径方向内方に屈曲する内曲げフランジ部が設けられ、外胴体を内曲げフランジ部において五徳に載置自在とするものにおいて、
内曲げフランジ部に、上方に凹入する所定数の凹条が形成され、五徳に設けられた複数の五徳爪がこれら凹条に下方から挿入されることで外胴体が五徳と同心状態になるようにし、
各凹条は、外胴体の下端外周面に達するように形成され、
内曲げフランジ部の凹条間に位置する部分は、その周方向中央部が最も低い下方に凸の凸面形状部に形成され、
外胴体の五徳に対する位相が、全ての五徳爪が凹条に挿入される正規位相でないときは、内曲げフランジ部の複数箇所の凸面形状部が互いに異なる五徳爪に着座して、外胴体が何れの凹条にも五徳爪が挿入されない状態で五徳に載置され、凸面形状部が受ける炊飯器の重量分の当接反力の水平方向成分により外胴体に回転力が作用することを特徴とする炊飯器。
【請求項３】
請求項２記載の炊飯器であって、前記五徳爪の数が偶数であるものにおいて、
前記凹条の数は五徳爪の数の１／２であり、各凹条の周方向幅は、各凹条に周方向に隣り合う各２個の五徳爪が挿入自在となるように設定されることを特徴とする炊飯器。
【請求項４】
請求項２記載の炊飯器であって、前記五徳爪の数が偶数であるものにおいて、
前記内曲げフランジ部に、前記凹条となる第１凹条と第２凹条とが周方向に交互に形成され、第１凹条の数と第２凹条の数は夫々五徳爪の数の１／２であり、各第１凹条の周方向幅は、各第１凹条に各１個の五徳爪が挿入自在となるように設定され、各第２凹条の周方向幅は、各第２凹条に周方向に隣り合う各２個の五徳爪が挿入自在となるように設定されることを特徴とする炊飯器。
【発明の詳細な説明】
【技術分野】
【０００１】
本発明は、ガスコンロの天板上にコンロバーナを囲うようにして設置される五徳に載置して使用する炊飯器に関する。
【背景技術】
【０００２】
元来、この種の炊飯器は、炊飯釜を上方から挿入した状態で支持する外胴体を備えている。そして、外胴体の下端に、径方向内方に屈曲する内曲げフランジ部を設け、外胴体を内曲げフランジ部において五徳に載置自在としている。
【０００３】
ところで、炊飯を良好に行うには、炊飯釜がコンロバーナと同心になるように、外胴体を五徳に同心状態で載置することが必要になる。そこで、従来、特許文献１により、内曲げフランジ部の内周に、下方に突出する環状枠を固定し、環状枠にその下縁から上方に凹入する凹部を周方向の間隔を存して複数形成したものが知られている。このものでは、五徳の各五徳爪が各凹部に下方から挿入されるように外胴体を五徳に載置することで、外胴体が五徳と同心状態になる。
【０００４】
然し、上記従来例のものでは、炊飯器を持った使用者がガスコンロの前に立った状態において、環状枠の各凹部は外胴体の下に隠れて見えなくなる。そのため、各凹部と各五徳爪との位置合わせが面倒になって、五徳に対する炊飯器のセット作業性が悪くなってしまう。
【先行技術文献】
【特許文献】
【０００５】
【特許文献１】特開平１０−１９２１３３号公報
【発明の概要】
【発明が解決しようとする課題】
【０００６】
本発明は、以上の点に鑑み、五徳に対するセット作業性が良好な炊飯器を提供することをその課題としている。
【課題を解決するための手段】
【０００７】
上記課題を解決するために、本発明は、ガスコンロの天板上にコンロバーナを囲うようにして設置される五徳に載置して使用する炊飯器であって、炊飯釜を上方から挿入した状態で支持する外胴体を備え、外胴体の下端に、径方向内方に屈曲する内曲げフランジ部が設けられ、外胴体を内曲げフランジ部において五徳に載置自在とするものにおいて、内曲げフランジ部に、上方に凹入する所定数の凹条が形成され、五徳に設けられた複数の五徳爪がこれら凹条に下方から挿入されることで外胴体が五徳と同心状態になるようにし、各凹条は、外胴体の下端外周面に達するように形成されることを特徴とする。
【０００８】
本発明によれば、五徳爪が凹条に挿入されるように外胴体を五徳に載置することで、外胴体が五徳と同心状態になる。そして、凹条が外胴体の下端外周面に達するため、炊飯器を持った使用者がガスコンロの前に立ったまま凹条の位置を目視確認できる。従って、凹条と五徳爪との位置合わせを容易に行うことができ、五徳に対する炊飯器のセット作業性が良好になる。
【０００９】
ここで、凹条への五徳爪の挿入で外胴体が五徳と同心状態になるようにするには、凹条の数を五徳爪の数の１倍以上の倍数に等しくし、各凹条の周方向幅を、各凹条に各１個の五徳爪が挿入自在となるように設定すればよい。また、五徳爪の数が偶数である場合には、凹条の数を五徳爪の数の１／２とし、各凹条の周方向幅を、各凹条に周方向に隣り合う各２個の五徳爪が挿入自在となるように設定してもよく、或いは、内曲げフランジ部に、上記凹条となる第１凹条と第２凹条とを周方向に交互に形成し、第１凹条の数と第２凹条の数を夫々五徳爪の数の１／２とし、各第１凹条の周方向幅を、各第１凹条に各１個の五徳爪が挿入自在となるように設定し、各第２凹条の周方向幅を、各第２凹条に周方向に隣り合う各２個の五徳爪が挿入自在となるように設定してもよい。
【００１０】
また、凹条の数を五徳爪の数に等しくし、各凹条の周方向幅を、各凹条に各１個の五徳爪が挿入自在となるように設定する場合は、各五徳爪が各凹条に挿入された状態で、内曲げフランジ部の凹条以外の部分の内周縁がコンロバーナの炎孔下端の延長線より下方に位置するように、各凹条の上方への凹入深さを設定することが望ましい。これによれば、コンロバーナの炎孔から噴出する混合気の燃焼で生ずる燃焼ガスが全て外胴体内に入り、熱効率が向上する。
【００１１】
また、本発明においては、内曲げフランジ部の凹条間の部分を、その周方向中央部が最も低い下方に凸の凸面形状部に形成することが望ましい。これによれば、凸面形状部が五徳爪に着座する状態において、凸面形状部が受ける炊飯器の重量分の当接反力の水平方向成分により外胴体に回転力が作用する。そのため、外胴体を凹条に五徳爪が挿入される位相に回転させやすくなり、五徳に対する炊飯器のセット作業性が一層良好になる。
【図面の簡単な説明】
【００１２】
【図１】ガスコンロに本発明の第１実施形態の炊飯器をセットした状態のコンロの要部を含む断面図。
【図２】第１実施形態の炊飯器の斜め下方から見た斜視図。
【図３】ガスコンロに本発明の第２実施形態の炊飯器をセットした状態のコンロの要部を含む断面図。
【図４】（ａ）本発明の第３実施形態の炊飯器の斜め下方から見た斜視図、（ｂ）その底面図。
【図５】（ａ）本発明の第４実施形態の炊飯器の斜め下方から見た斜視図、（ｂ）その底面図。
【発明を実施するための形態】
【００１３】
図１を参照して、１はガスコンロの天板、２はガスコンロに設けたコンロバーナを示している。コンロバーナ２は、天板１に開設したバーナ用開口１ａを通して天板１上に突出するバーナボディ２ａと、バーナボディ２ａ上に設置する環状のバーナキャップ２ｂとを備え、バーナキャップ２ｂの外周部に混合気を噴出する炎孔２ｃが形成されている。バーナボディ２ａの外周には、バーナ用開口１ａを上方から覆う環状の煮こぼれカバー２ｄが装着されている。
【００１４】
バーナキャップ２ｂの上には、コンロ本体内からバーナボディ２ａ及びバーナキャップ２ｂで囲われるバーナ内周空間を介して供給される二次空気を炎孔２ｃ側に導く環状の案内板２ｅが設けられている。また、バーナ内周空間を通して案内板２ｅの上方に突出する温度センサ３が設けられている。
【００１５】
天板１上には、コンロバーナ２を囲うようにして五徳４が設置されている。五徳４は、煮こぼれカバー２ｄに外挿される環状の五徳枠４ａと、この五徳枠４ａに放射状に取り付けた複数の五徳爪４ｂとで構成される。尚、本実施形態では、五徳爪４ｂの数を図２に示す如く６個としている。
【００１６】
五徳４には、本発明の実施形態の炊飯器１０が載置される。この炊飯器１０は、炊飯釜２０と、炊飯釜２０を上方から挿入した状態で支持する外胴体３０とを備えている。尚、以下の説明では、外胴体３０に炊飯釜２０を挿入支持させた状態を炊飯器１０と記す。
【００１７】
炊飯釜２０は、上端部に径方向外方に張り出すフランジ部２１を有している。また、炊飯釜２０の外周面の上部からフランジ部２１の下面に亘り周方向の間隔を存して複数のリブ２２が突設されている。そして、炊飯釜２０を外胴体３０に上方から挿入したとき、フランジ部２１の下面のリブ２２が外胴体３０の上端に着座し、炊飯釜２０が外胴体３０にリブ２２の突出高さ分の隙間を存した状態で外胴体３０と同心状態に支持されるようにしている。また、炊飯釜２０の上面には上下２重構造の蓋２３が載置される。
【００１８】
外胴部３０の外周面の上部には一対の把手３１が取り付けられている。また、外胴体３０の下端には、径方向内方に屈曲する内曲げフランジ部３２が設けられている。そして、炊飯器１０を外胴体３０の内曲げフランジ部３２において五徳４に載置するようにしている。この際、炊飯釜２０の底面に温度センサ３が当接する。炊飯時には、温度センサ３により炊飯釜２０の温度を検出し、この温度が所定の炊上がり温度に達したときに、コンロバーナ２が消火される。
【００１９】
ところで、炊飯を炊きむらなく良好に行うには、炊飯釜２０がコンロバーナ２と同心になるように、外胴体３０を五徳４に同心状態で載置することが必要になる。そこで、内曲げフランジ部３２に、五徳爪４ｂの上辺部を下方から挿入自在な上方に凹入する凹条３３を図２に示す如く放射状に複数形成している。更に、各凹条３３は、外胴体３０の下端外周面に達するように形成されている。凹条３３の数は五徳爪４ｂの数の１倍以上の倍数であり、各凹条３３の周方向幅は、各凹条３３に各１個の五徳爪４ｂが挿入自在となるように設定されている。尚、本実施形態では、凹条３３の数を五徳爪４ｂの数の１倍の倍数、即ち、五徳爪４ｂと同数の６個にしている。
【００２０】
本実施形態によれば、各五徳爪４ｂが各凹条３３に下方から挿入されるように外胴体３０を五徳４に載置することで、外胴体３０が五徳４と同心状態になる。そして、凹条３３が外胴体３０の下端外周面に達するため、炊飯器１０を持った使用者がガスコンロの前に立ったまま凹条３３の位置を目視確認できる。従って、凹条３３と五徳爪４ｂとの位置合わせを容易に行うことができ、五徳４に対する炊飯器１０のセット作業性が良好になる。
【００２１】
次に、図３に示す第２実施形態の炊飯器について説明する。第２実施形態の基本的な構造は上記第１実施形態と異ならず、第１実施形態と同様の部材、部位に上記と同一の符号を付している。第２実施形態の第１実施形態との相違点は、各凹条３３の上方への凹入深さを以下の如く設定したことである。即ち、各五徳爪４ｂが各凹条３３に挿入された状態で、曲げフランジ部３２の凹条３３以外の部分の内周縁３２ａがコンロバーナ２の炎孔２ｃの下端の延長線ａより下方に位置するように、各凹条３３の凹入深さを設定している。
【００２２】
ここで、炎孔２ｃから噴出する混合気の燃焼で生ずる燃焼ガスは全て上記延長線ａより上方に流れる。従って、第２実施形態によれば、燃焼ガスが全て内曲げフランジ部３２の内周縁３２ａ上を通過して外胴体３０内に入ることになり、熱効率が向上する。尚、凹条３３の数が五徳爪４ｂの数の２倍以上の倍数であって、五徳爪４ｂが挿入されない凹条３３があると、この凹条３３の下方に燃焼ガスが流れてしまう。そのため、熱効率の向上を図る上で、凹条３３の数は五徳爪４ｂの数に等しくすることが望ましい。
【００２３】
ところで、内曲げフランジ部３２に、上記凹条３３に代えて下方に突出する凸条を突設することも考えられる。即ち、内曲げフランジ部３２に、周方向に隣り合う２つの五徳爪４ｂ，４ｂの周方向外側の側面又は周方向内側の側面に当接する一対の凸条を点対称の位置関係で２組突設した場合も、外胴体３０を五徳４と同心になるように位置決めできる。但し、この場合には、各凸条が五徳爪４ｂの対応する側面に当接するように位置合わせしてから内曲げフランジ３２を五徳４に載せることが必要になる。これに対し、上記実施形態の如く内曲げフランジ部３２に凹条３３を形成した場合には、内曲げフランジ部３２を五徳４に載せてから、外胴体３０を回転させて各凹部３３が各五徳爪４ｂに合致するように位置合わせすればよい。従って、炊飯器１０のセット作業性を向上させるには上記実施形態の方が好適である。
【００２４】
次に、図４に示す第３実施形態について説明する。第３実施形態でも、外胴体３０の下端の内曲げフランジ部３２に、上方に凹入する凹条３３を外胴体３０の下端外周面に達するように形成している。然し、第３実施形態では、凹条３３の数を五徳爪４ｂの数の１／２の３個とし、各凹条３３の周方向幅を、図４（ｂ）に示す如く、各凹条３３に周方向に隣り合う各２個の五徳爪４ｂ，４ｂが挿入自在となるように設定している。また、内曲げフランジ部３３の凹条３３，３３間の部分を、その周方向中央部が最も低い下方に凸の凸面形状部３２ｂに形成している。
【００２５】
第３実施形態のものでは、各凹条３３に各２個の五徳爪４ｂ，４ｂが挿入されたとき、各五徳爪４ｂの側面が各凹条３３の周方向各側の側縁部に当接するか近接対向して、外胴体３０が五徳４と同心状態になる。また、内曲げフランジ部３３の凸面形状部３２ｂが五徳爪４ｂに着座した状態では、凸面形状部３２ｂが受ける炊飯器１０の重量分の当接反力の水平方向成分により外胴体３０に回転力が作用する。そのため、外胴体３０を凹条３３に五徳爪４ｂが挿入される位相に回転させやすくなり、五徳４に対する炊飯器のセット作業性が一層良好になる。
【００２６】
尚、第３実施形態では、各凹条３３の周方向各側の側縁部を外胴体３０の中心を通る放射状の線に対し周方向外方に傾けている。これは、全面五徳を備えるガスコンロにも対応できるようにするためである。即ち、全面五徳は、横方向両側の夫々に、図４（ｂ）に仮想線で示す如く、放射状に屈曲する先端部から横方向外方に真直にのびる２個の五徳爪４ｂ´，４ｂ´を備えている。そして、各凹条３３の周方向各側の側縁部が放射状であると、内曲げフランジ部３２の凹条３３，３３間の部分の何れか１つ（図４（ｂ）では左側の部分）が横方向一側の２個の五徳爪４ｂ´，４ｂ´の横方向に真直にのびる部分に乗り上げてしまう。一方、本実施形態の如く、凹条３３の周方向各側の側縁部を放射状の線に対し周方向外方に傾ければ、かかる不具合を生ず、全面五徳を備えるガスコンロにも対応できる。
【００２７】
次に、図５に示す第４実施形態について説明する。第４実施形態では、外胴体３０の下端の内曲げフランジ部３２に、第１凹条３３１と第２凹条３３２とを周方向に交互に、且つ、外胴体３０の下端外周面に達するように形成している。第１凹条３３１の数と第２凹条３３２の数は夫々五徳爪４ｂの数の１／２の３個である。また、各第１凹条３３１の周方向幅は、各第１凹条３３１に各１個の五徳爪４ｂが挿入自在となるように設定され、各第２凹条３３２の周方向幅は、各第２凹条３３２に周方向に隣り合う各２個の五徳爪４ｂ，４ｂが挿入自在となるように設定されている。
【００２８】
これによれば、図５（ｂ）に実線で示す如く、各第１凹条３３１に各１個の五徳爪４ｂが挿入され、残りの五徳爪４ｂが第２凹条３３２の周方向中央部に挿入される第１の位相で外胴体３０を五徳に載置できると共に、図５（ｂ）に仮想線で示す如く、各第２凹条３３２に各２個の五徳爪４ｂ，４ｂが挿入される第２の位相で外胴体３０を五徳に載置できる。第１と第２の何れの位相でも外胴体３０は五徳と同心状態になる。従って、外胴体３０を五徳上で大きく回転させずに五徳と同心状態にセットすることができ、セット作業性が向上する。
【００２９】
また、第４実施形態のものでは、内曲げフランジ部３２の第１と第２の両凹条３３１，３３２間の部分を、第３実施形態と同様に下方に凸の凸面形状部３２ｂに形成して、セット作業性の一層の向上を図ることができるようにしている。更に、第１と第２の各凹条３３１，３３２の周方向各側の側縁部を、第３実施形態と同様に放射状の線に対し周方向外方に傾けて、全面五徳を備えるガスコンロにも対応できるようにしている。
【００３０】
以上、本発明の実施形態について図面を参照して説明したが、本発明はこれに限定されない。例えば、上記第１実施形態では、内曲げフランジ部３２の凹条３３，３３間の部分をフラットに形成しているが、この部分を第３、第４実施形態と同様に下方に凸の凸面形状部に形成してもよく、更に、各凹条３３の周方向各側の側縁部を放射状の線に対し周方向外方に傾けてもよい。また、五徳爪４ｂの数は６個以外であってもよい。
【符号の説明】
【００３１】
１…天板、２…コンロバーナ、２ｃ…炎孔、４…五徳、４ｂ…五徳爪、１０…炊飯器、２０…炊飯釜、３０…外胴体、３２…内曲げフランジ部、３２ａ…内周縁、３２ｂ…凸面形状部、３３…凹条、３３１…第１凹条、３３２…第２凹条。
【図１】
0005513448.tif 000002
【図２】
0005513448.tif 000003
【図３】
0005513448.tif 000004
【図４】
0005513448.tif 000005
【図５】
0005513448.tif 000006